(57)【要約】【課題】  振動板を動作させるアーマチュアの反りを最小にできる発音装置の製造方法を提供する。【解決手段】  磁界発生部２０とコイル２７によってアーマチュア３２が振動させられ、アーマチュア３２で振動板１１が駆動させられる。アーマチュア３２は圧延されたパーマロイの金属板材で形成されている。焼鈍していない金属板材から、ワイヤソーまたはエッチングで板片を切り出し、このとき長手方向が圧延方向と著効するＴＤを向くようにする。切り出した板片を折り曲げた後に焼鈍する。この工程でアーマチュアの反り小さくすることができる。【選択図】図３
2017115521.tif 000002
【特許請求の範囲】
【請求項１】
基部が支持されて板厚方向に振動する磁性材料製のアーマチュアと、前記アーマチュアを振動させる駆動機構と、前記アーマチュアによって振動させられる振動板と、を有する発音装置の製造方法において、
前記アーマチュアは細長形状で、圧延された磁性材料の金属板で形成されており、長手方向が前記金属板の圧延方向と交差する方向に向けられていることを特徴とする発音装置の製造方法。
【請求項２】
前記アーマチュアは、前記金属板から切り出された後に焼鈍されたものである請求項１記載の発音装置の製造方法。
【請求項３】
前記アーマチュアは、前記金属板から切り出され、曲げ加工された後に焼鈍されたものである請求項１記載の発音装置の製造方法。
【請求項４】
前記アーマチュアは、前記金属板から、ワイヤソーを用いて切り出される請求項１ないし３のいずれかに記載の発音装置の製造方法。
【請求項５】
前記アーマチュアは、前記金属板から、エッチング工程で切り出される請求項１ないし３のいずれかに記載の発音装置の製造方法。
【発明の詳細な説明】
【技術分野】
【０００１】
本発明は、磁性材料の金属板から形成されたアーマチュアを駆動して振動板を振動させる発音装置の製造方法に関する。
【背景技術】
【０００２】
特許文献１に、発音装置（音響変換装置）に関する発明が記載されている。
この発音装置は、ケース体の内部に保持枠が固定されている。保持枠は開口部を有しこの開口部は樹脂フィルムで塞がれており、薄い金属板で形成された振動板が、前記開口部内で前記樹脂フィルムに貼り付けられている。【０００３】
保持枠にはアーマチュアが固定されている。アーマチュアには振動部と被固定部とが一体に形成されており、被固定部が保持枠に固定されている。アーマチュアにはコイルとヨークとが固定され、ヨークに２個のマグネットが固定されている。【０００４】
前記アーマチュアの一部である前記振動部は、コイルの巻き中心の空間部と２個のマグネットの対向隙間内に挿入されており、振動部の先端部と振動板とが梁部で連結されている。【０００５】
上記構造の発音装置は、コイルに与えられるボイス電流でアーマチュアが磁化されると、その磁化とマグネットの磁界とによって、振動部が振動し、その振動が梁部を介して振動板に伝達され、振動板が振動して発音する。
【先行技術文献】
【特許文献】
【０００６】
【特許文献１】特開２０１２−４８５０号公報
【発明の概要】
【発明が解決しようとする課題】
【０００７】
特許文献１に記載されている従来の発音装置では、アーマチュアが磁性金属材料の板材で形成されているが、この種の金属板材は一軸方向へ圧延されて厚さ寸法が調整されている。【０００８】
アーマチュアの振動部は長尺形状であるが、その長手方向を前記金属板材の圧延方向へ向けると、金属板材からアーマチュアを切出したときに、圧延時の内部応力が解放されることで反りが発生し、振動部と前記マグネットとのギャップを適正に設定するのが困難になる。【０００９】
また、磁性金属材料は、焼鈍することで透磁率を高くすることが可能であるが、前記金属板材を焼鈍した後に、この金属板材からアーマチュアを切り出すと、焼鈍後の内部応力により、切り出し後のアーマチュアの反りがさらに大きくなる。【００１０】
本発明は上記従来の課題を解決するものであり、アーマチュアの反りを最小にしてアーマチュアと磁石とのギャップを設定しやすい発音装置の製造方法を提供することを目的としている。
【課題を解決するための手段】
【００１１】
本発明は、基部が支持されて板厚方向に振動する磁性材料製のアーマチュアと、前記アーマチュアを振動させる駆動機構と、前記アーマチュアによって振動させられる振動板と、を有する発音装置の製造方法において、
前記アーマチュアは細長形状で、圧延された磁性材料の金属板で形成されており、長手方向が前記金属板の圧延方向と交差する方向に向けられていることを特徴とするものである。【００１２】
本発明の発音装置の製造方法では、前記アーマチュアは、前記金属板から切り出された後に焼鈍されたものとすることが好ましい。または、前記アーマチュアは、前記金属板から切り出され、曲げ加工された後に焼鈍されたものとすることが好ましい。【００１３】
本発明の発音装置の製造方法では、前記アーマチュアは、前記金属板から、ワイヤソーを用いて切り出されることが好ましい。【００１４】
または、前記アーマチュアは、前記金属板から、エッチング工程で切り出されることが好ましい。
【発明の効果】
【００１５】
本発明の発音装置の製造方法は、磁性材料の金属板からアーマチュアを形成するときに、長手方向が板材の延伸方向と交差する向きで、好ましくは直交する向きで前記金属板から切り出している。その結果、アーマチュアの長手方向での反りを最小に抑えることができる。【００１６】
磁性材料は焼鈍することで透磁率を良好にできるが、アーマチュアは金属板から切り出した後に焼鈍することで、さらに反りを抑えることができる。また、アーマチュアが曲げ部を有する場合には、金属板から切り出して曲げ加工した後に焼鈍することで、さらに反りを抑えることが可能になる。
【図面の簡単な説明】
【００１７】
【図１】本発明の第１の実施の形態の発音装置の外観を示す斜視図、
【図２】図１に示す発音装置の分解斜視図、
【図３】図１に示す発音装置をＩＩＩ−ＩＩＩ線で切断した断面図、
【図４】発音装置のケースを除いた構造を示すものであり、図３をＩＶ−ＩＶ線で切断した断面図、
【図５】本発明の第２の実施の形態の発音装置を示す断面図、
【図６】磁性材料の金属板から外形を加工した板材の反りを比較する線図、
【図７】外形を加工したもの、曲げ加工したもの、さらに焼鈍したものの、反りを比較する線図、
【図８】表１と図６に示す「プレス品」の反りを測定した測定線図、
【図９】表２と図７に示す「工程３」を経たアーマチュアの反りを測定した測定線図、
【図１０】（Ａ）は、長手方向をＴＤに向けて板材から切り出した直後の状態を拡大して示す参考図、（Ｂ）は、焼鈍工程を経ているものを拡大して示す参考図、
【発明を実施するための形態】
【００１８】
図１ないし図４は本発明の第１の実施の形態の発音装置１を示している。
発音装置１は、ケース２を有している。ケース２は下ケース３と上ケース４とから構成されている。下ケース３と上ケース４は合成樹脂製または非磁性材料の金属材料で形成されている。
【００１９】
図２に示すように、下ケース３は、底部３ａと、４側面を囲む側壁部３ｂと、側壁部３ｂの上端の開口端部３ｃを有している。上ケース４は天井部４ａと、４側面を囲む側壁部４ｂと、側壁部の下端の開口端部４ｃを有している。下ケース３の内部空間は、上ケース４の内部空間よりも広く、上ケース４は下ケース３の蓋体として機能している。
【００２０】
図３に示すように、下ケース３の開口端部３ｃと上ケース４の開口端部４ｃとの間に駆動側フレーム５が挟まれている。下ケース３と上ケース４と駆動側フレーム５は接着剤などで互いに固定されている。
【００２１】
図２に示すように、駆動側フレーム５は、Ｚ方向の厚さ寸法が均一な板材で形成されており、図示下側の平面が駆動側取付け面５ａで、上側の平面が接合面５ｂとなっている。中央部には、駆動側開口部５ｃが上下に貫通して形成されている。駆動側フレーム５は、ＳＵＳ４３０（１８クロームステンレス）やＳＰＣＣなどの冷間圧延鋼板などのような磁性材料の金属板材で形成されている。
【００２２】
駆動側フレーム５の図示上側に振動側フレーム６が重ねられている。図２と図４に示すように、振動側フレーム６は、中央部に広い開口面積の振動側開口部６ｃが形成された枠体形状である。振動側フレーム６の枠部はＺ方向の厚さ寸法が均一であり、枠部の図示上側の平面が振動側取付け面６ａで、下側の平面が接合面６ｂとなっている。振動側フレーム６は、例えばＳＵＳ３０４（１８クローム８ニッケルステンレス：１８−８ステンレス）などの非磁性金属板で形成されている。
【００２３】
図３に示すように、駆動側フレーム５の上に振動側フレーム６が重ねられ、駆動側フレーム５の接合面５ｂと、振動側フレーム６の接合面６ｂとが面接合される。駆動側フレーム５と振動側フレーム６は、互いに位置決めされた状態でレーザー溶接や接着剤で固定されている。
【００２４】
図２と図３に示すように、振動側フレーム６に振動板１１と可撓性シート１２が取り付けられている。振動板１１はアルミニウムやＳＵＳ３０４などの薄い金属材料で形成されており、必要に応じて曲げ強度を増強するためのリブがプレス成形されている。可撓性シート１２は振動板１１よりも撓み変形しやすいものであり、例えばＰＥＴ（ポリエチレンテレフタレート）やナイロンあるいはポリエステルなどの樹脂シート（樹脂フィルム）で形成されている。
【００２５】
振動板１１は可撓性シート１２の下面に接着されて固定され、可撓性シート１２の外周縁部１２ａ（図２参照）が、振動側フレーム６の枠部の上面である振動側取付け面６ａに接着剤を介して固定されている。その結果、振動板１１は、可撓性シート１２を介して振動側フレーム６に振動自在に支持されている。
【００２６】
振動板１１はＹ方向の端部である自由側端部１１ｂと支点側端部１１ｃを有している。振動板１１は、支点側端部１１ｃに支点を有して、自由側端部１１ｂがＺ方向へ変位するように振動可能である。
【００２７】
図２と図３および図４に示すように、駆動側フレーム５に磁界発生部２０が搭載されている。磁界発生部２０は、上部ヨーク２１と下部ヨーク２２および一対の側部ヨーク２３，２３が組み立てられている。上部ヨーク２１と下部ヨーク２２および側部ヨーク２３，２３は、磁性金属材料で形成されており、例えば、ＳＰＣＣなどの冷間圧延鋼板やＳＵＳ４３０（１８クロームステンレス）などの磁性金属板で形成されている。
【００２８】
図４に示すように、上部ヨーク２１と下部ヨーク２２は共に平板形状であり、Ｚ方向に間隔を空けて配置されている。上部ヨーク２１は、図示上側に向く板表面が駆動側フレーム５に接合するための接合面２１ａであり、図示下側に向く内側の板表面が対向面２１ｂである。下部ヨーク２２は、図示上側に向く内側の板表面が対向面２２ｂである。
【００２９】
側部ヨーク２３，２３は、上部ヨーク２１および下部ヨーク２２と同じ厚さの平板形状である。側部ヨーク２３，２３は、互いに対向する板表面が側方対向面２３ａ，２３ａである。側部ヨーク２３，２３は、側方対向面２３ａ，２３ａが互いに平行で、側方対向面２３ａ，２３ａが上部ヨーク２１と下部ヨーク２２の対向面２１ｂ，２２ｂと垂直となる垂直姿勢で、Ｘ方向に間隔を空けて配置されている。
【００３０】
側部ヨーク２３，２３の上端面２３ｂ，２３ｂは、上部ヨーク２１の対向面２１ｂに突き当てられてレーザー溶接や接着で固定され、側部ヨーク２３，２３の下端面２３ｃ，２３ｃは、下部ヨーク２２の対向面２２ｂに突き当てられてレーザー溶接や接着で固定されている。
【００３１】
磁界発生部２０では、上部ヨーク２１の対向面２１ｂに上部磁石２４が固定され、下部ヨーク２２の対向面２２ｂに下部磁石２５が固定されている。上部磁石２４の下面２４ａと下部磁石２５の上面２５ａとの間にＺ方向にギャップδが形成されている。上部磁石２４の下面２４ａと下部磁石２５の上面２５ａは互いに逆の極性となるように、各磁石２４，２５が着磁されている。
【００３２】
上部ヨーク２１の上面である接合面２１ａは平面である。図４などに示すように、この接合面２１ａが駆動側フレーム５の下面の駆動側取付け面５ａに面接合され、レーザー溶接または接着剤で固定されている。
【００３３】
図２と図３に示すように、磁界発生部２０と並ぶ位置にコイル２７が設置されている。コイル２７はＹ方向に延びる巻き中心線を導線が周回するように巻かれている。コイル２７の巻き中心部の空間２７ｃにアーマチュアの振動部３２ａが挿入され、コイル２７は導線がアーマチュアの周囲を周回するように巻かれている。
【００３４】
コイル２７のＹ方向の左側に向く端面が接合面２７ａとなっており、この接合面２７ａが接着剤層２８によって磁界発生部２０の上部ヨーク２１と下部ヨーク２２に固定されている。このとき、コイル２７の巻き中心線が、上部磁石２４と下部磁石２５とのギャップδの中心に一致するように位置決めされて互いに固定される。
【００３５】
この実施の形態では、磁界発生部２０とコイル２７とで、アーマチュア３２を振動させる駆動機構が構成されている。
【００３６】
図３に示すように、駆動側フレーム５の下面の駆動側取付け面５ａに支持部材３１が固定されている。支持部材３１は、上表面３１ａと下表面３１ｂおよび後端面３１ｃを有しており、上表面３１ａと下表面３１ｂは互いに平行な平面であり、後端面３１ｃは上表面３１ａに対して垂直面である。支持部材３１の上表面３１ａは前記駆動側取付け面５ａに面接合されてレーザー溶接などで固定されている。
【００３７】
支持部材３１の下表面３１ｂに、アーマチュア３２が取り付けられている。アーマチュア３２と支持部材３１は共に磁性材料で形成されている。支持部材３１はＳＰＣＣなどの冷間圧延鋼板やＳＵＳ４３０（１８クロームステンレス）で形成されている。アーマチュア３２は磁性材料であるＮｉ−Ｆｅ合金（パーマロイ）で形成されている。
【００３８】
図３に示すように、アーマチュア３２は、振動部３２ａと、振動部３２ａからほぼ直角に曲げられた基部３２ｂと、先端部３２ｃとを有している。先端部３２ｃの幅方向の中心部には凹部３２ｄが形成されている。
【００３９】
アーマチュア３２の基部３２ｂは支持部材３１の後端面３１ｃに面接合されてレーザー溶接などで固定されている。図３に示すように、振動部３２ａは、コイル２７の巻き中心の空間２７ｃに挿入され、さらに、上部磁石２４と下部磁石２５とのギャップδ内に挿入されている。そして、アーマチュア３２の先端部３２ｃが、前記ギャップδ内からＹ方向の前方に飛び出している。
【００４０】
図３に示すように、振動板１１の自由側端部１１ｂと、アーマチュア３２の先端部３２ｃは伝達体３３で連結されている。伝達体３３は金属または合成樹脂で形成された針状部材であり、上端の固定部３３ａが振動板１１に固定されている。伝達体３３の下端部の連結端部３３ｂがアーマチュア３２の凹部３２ｄに挿入され、連結端部３３ｂとアーマチュア３２とが接着剤で固定されている。
【００４１】
アーマチュア３２は、Ｎｉ−Ｆｅ合金（パーマロイ）の板材で形成されている。この板材は厚さ寸法を均一にするために、ローラ間で一軸方向へ圧延されている。板材は圧延方向がＭＤ（Machine Direction）で、圧延方向と直交する方向がＴＤ（Transverse Direction）である。アーマチュア３２は、その全長にわたってＸ方向の幅寸法よりもＹ方向の長さ寸法が大きい長尺形状であり、長手方向（Ｙ方向）がＴＤに向けられている。
【００４２】
金属の板材は、圧延加工で内部に応力が蓄積されているため、アーマチュア３２の大きさに切断すると、内部応力が解放されて反りを発生する。この反りはＴＤよりもＭＤが大きくなる。よって、アーマチュア３２の長手方向をＴＤに向けて外形を加工することで、板材から切り出した直後での長手方向での反りを小さくすることができる。
【００４３】
次に、パーマロイなどの磁性金属材料は焼鈍することで、透磁率を高くすることができる。ただし、圧延された大きな板材を先に焼鈍すると、内部応力がさらに高まるため、焼鈍後にアーマチュア３２の形状に切り出すと、焼鈍による内部応力も解放されることになって反りがさらに増大する。そこで、アーマチュア３２は長手方向がＴＤに向くように切り出した後に、基部３２ｂを折り曲げる曲げ加工を施し、その後に焼鈍することが好ましい。なお、アーマチュア３２の形状として、基部３２ｂを折曲げる必要がない平板状のものを使用するときには、板材から長手方向がＴＤに向くようにアーマチュア３２を切り出し、その後に焼鈍を行うことが好ましい。
【００４４】
圧延された金属板材から長尺形状の小さな寸法のアーマチュア３２を切り出し、その後に焼鈍すると、焼鈍による内部応力の蓄積を小さくでき、焼鈍による反りがほとんど現れなくなる。
【００４５】
次に、圧延された板材からアーマチュア３２の外形を切り出すときは、加工ダメージの小さい切断方法を採用することが好ましい。例えば、ワイヤソーやエッチング処理でアーマチュア３２の外形を切り出すことが好ましい。ワイヤソーやエッチングで板材から切り出すことで、外形加工に起因する反りの増大を抑制することが可能になる。
【００４６】
長手方向をＴＤとし、外形加工後に焼鈍したアーマチュア３２は、振動部３２ａの長手方向（Ｙ方向）の反りを小さくできるため、アーマチュア３２を組み込んだ状態で、先端部３２ｃを、上部磁石２４と下部磁石２５との間のギャップδの中心に配置しやすくなる。よって、組立作業と調整作業を容易にでき、寸法精度の高い発音装置１を得ることができる。
【００４７】
図３に示すように、下ケース３と上ケース４とが駆動側フレーム５を挟んで固定されると、振動板１１と可撓性シート１２とによって、ケース２の内部の空間が上下に区分される。振動板１１および可撓性シート１２よりも上側であって上ケース４の内部の空間が発音側空間であり、発音側空間は、上ケース４の側壁部４ｂに形成された発音口４ｄから外部空間に通じている。下ケース３の底部３ａに吸排気口３ｄが形成されており、振動板１１および可撓性シート１２よりも下側であって下ケース３の内部空間が、吸排気口３ｄによって外気に通じている。
【００４８】
また、下ケース３の側壁部３ｂには、コイル２７に導通する配線を外部に引き出すために配線穴３ｅが形成されている。
【００４９】
次に、発音装置１の動作を説明する。
ボイス電流がコイル２７に与えられると、アーマチュア３２に磁界が誘導される。アーマチュア３２に誘導される磁界と、上部磁石２４と下部磁石２５とのギャップδ内に生成される磁界とで、アーマチュア３２の振動部３２ａにＺ方向への振動が発生する。この振動が伝達体３３を介して振動板１１に伝達され振動板１１が振動する。このとき、可撓性シート１２で支持されている振動板１１は、支点側端部１１ｃに支点を有して、自由側端部１１ｂがＺ方向へ振れて振動する。振動板１１の振動により、上ケース４の内部の発音空間に音圧が生成され、この音圧が発音口４ｄから外部へ出力される。
【００５０】
図５は本発明の第２の実施の形態の発音装置１０１を示している。
この発音装置１０１は、アーマチュアの構造が第１の実施の形態の発音装置１と相違しているが、それ以外の構成は第１の実施の形態と同じである。
【００５１】
この発音装置１０１に使用されているアーマチュア１３２は、振動部１３２ａの基部にＵ字状の折り返し部１３２ｂと、これに連続する固定部１３２ｅとが一体に形成されている。固定部１３２ｅは振動部１３２ａと平行となるように曲げ形成されている。アーマチュア１３２の先端部１３２ｃには凹部１３２ｄが形成されている。
【００５２】
この発音装置１０１には支持部材３１が設けられておらず、アーマチュア１３２は、固定部１３２ｅが、駆動側フレーム５の駆動側取付け面５ａに直接に固定されている。アーマチュア１３２は、折り返し部１３２ｂと固定部１３２ｅとの境界部１３２ｆから先端部１３２ｃまでが弾性変形可能な領域となっているため、アーマチュア１３２の振動の変位量を大きくとることができ、振動板１１の振幅を大きくして発音出力を高めることができる。
【００５３】
図５に示す発音装置１０１においても、アーマチュア１３２は、パーマロイの板材からＴＤが長手方向（Ｙ方向）に向くように、ワイヤソーやエッチングで切り出される。また、基部に、折り返し部１３２ｂと固定部１３２ｅとを折り曲げた後に、焼鈍工程に移行している。
【実施例】
【００５４】
以下の表１に、プレス品と、板材１〜板材８に関する、反りの測定結果が記載されている。【００５５】
表１のプレス品は、本発明の基本的な比較例であり、厚さ０．１５ｍｍの圧延されたパーマロイの金属板材から幅寸法が１ｍｍで長さ寸法が５．５ｍｍの板片をプレス工程で切り抜いた。この板片は、長手方向を板片のＭＤに向けて形成した。切り出された板片から図３に示すように基部３２ｂを直角に曲げたアーマチュアを形成した。曲げ加工後に焼鈍を行った。焼鈍工程は、水素雰囲気中で１１００℃まで加熱して行った。【００５６】
表１には、上記工程で形成されたプレス品（アーマチュア）の振動部の反りの測定値が示されている。反りの測定は、レーザー変位計で測定した。図８には、複数の前記プレス品を製造し、それぞれについてＹ方向に延びる中心線からの変位量を測定した線図が示されている。表１に記載されているように、プラス側の変位の平均値が５．６μｍで、マイナス側の変位の平均値が５．６μｍであり、反り幅の平均値は１１．２μｍであった。図６にはプレス品に関する前記反り幅の１１．２μｍがプロットされている。【００５７】
表１に示す板片１ないし板片８は、厚さが０．１５ｍｍの圧延されたパーマロイの金属板材から幅寸法が１ｍｍで長さ寸法が５．５ｍｍの大きさに切り出されたものである。いずれも金属板材からダメージが少ない切断方法で切り出したものであり、板片１ないし板片４はワイヤソーによる切断工程で外形が加工されたものであり、板片５ないし板片８はエッチング工程で外形が加工されたものである。【００５８】
板片１は、ワイヤソーで外形を切り出す前に焼鈍しておらず、外形加工後は長手方向がＭＤに向けられている。板片２は、ワイヤソー外形を切り出す前に焼鈍しておらず、長手方向がＴＤに向けられている。板片３は、ワイヤソーで外形を切り出す前に焼鈍している。焼鈍工程は、水素雰囲気中で１１００℃まで加熱して行った。板片３は長手方向がＭＤに向けられている。板片４も、焼鈍後に外形を切り出したものであり、長手方向がＴＤに向けられている。【００５９】
板片５は、エッチング工程で外形を切り出す前に焼鈍しておらず、長手方向がＭＤに向けられている。板片６は、エッチング工程で外形を切り出す前に焼鈍しておらず、長手方向がＴＤに向けられている。板片７は、エッチングで外形を切り出す前に焼鈍している。焼鈍工程は、水素雰囲気中で１１００℃まで加熱して行った。外形加工後の板片７は長手方向がＭＤに向けられている。板片８も、焼鈍後に外形を切り出したものであり、長手方向がＴＤに向けられている。【００６０】
【表１】
2017115521.tif 000003
【００６１】
図１０は参考図として板面を拡大した写真であり、（Ａ）は板片６の表面、すなわち、焼鈍することなくエッチング工程で切り出し、ＴＤを長手方向へ向けた板片の表面の状態を示している。（Ｂ）は板片８の表面、すなわち、焼鈍した後にエッチング工程で切り出し、ＴＤを長手方向へ向けた板片の表面の状態を示している。【００６２】
図６には、表１に示した板片１ないし板片８の反り幅の平均値が、前記プレス品の反り幅の平均値と共にプロットされている。【００６３】
表１と図６から、ワイヤソーで外形を加工したものでは、切り出し前に焼鈍せずに、ＴＤを長手方向に向けた板片２が最も反りが小さい。同様に、エッチング工程で外形を加工したものにおいても、切り出し前に焼鈍せずに、ＴＤを長手方向に向けた板片６が最も反りが小さい。【００６４】
磁性金属の板材は、圧延した状態で内部に応力が残留しており、１ｍｍ×５．５ｍｍの寸法などに切り出すと、応力が開放されて反りが発生しやすくなる。この反りはＭＤ方向に向けて大きく現れるため、ＴＤを板片の長手方向に向けることで反りの出現を小さくすることができる。また、磁性金属の板材は焼鈍することで透磁率が改善されるが、大きな面積の板材で焼鈍するとこれによる内部応力がさらに残留することになる。したがって、板片を切り出す前に焼鈍しないことが好ましい。【００６５】
以下の表２では、焼鈍せずにワイヤソーでＴＤが長手方向に向くように切り出した板片２について、「工程１」として、外形加工直後に測定した複数の試料の反り幅の平均値を示している。「工程２」として、切り出し後に図３に示すように基部をほぼ直角に折り曲げた後に測定した複数の試料の反り幅の平均値を示している。「工程３」として、折り曲げ加工した後に焼鈍した後に測定した複数の試料の反り幅の平均値を示している。【００６６】
同じく表２では、板材を焼鈍した後にワイヤソーでＴＤが長手方向に向くように切り出した板片４について、「工程Ａ」として、外形加工直後に測定した複数の試料の反り幅の平均値を示している。「工程Ｂ」として、切り出し後に図３に示すように基部をほぼ直角に折り曲げた後に測定した複数の試料の反り幅の平均値を示している。【００６７】
【表２】
2017115521.tif 000004
【００６８】
図９には、「工程３」を経たアーマチュアを複数個製造し、それぞれについて、レーザー変位計を用い、Ｙ方向に延びる中心線からの変位量を測定した線図が示されている。【００６９】
図７には、「工程１」「工程２」「工程３」および「工程Ａ」「工程Ｂ」で測定した反り幅の平均値がプロットされている。【００７０】
工程３に示すように、焼鈍していない金属板材から板片を切り出し、曲げ加工してから焼鈍したアーマチュアを使用するのが好ましいことが実証されている。なお、折曲げ部を有していないアーマチュアを使用するときも、焼鈍していない金属板材からアーマチュアを切り出すことが好ましい。
【符号の説明】
【００７１】
１，１０１  発音装置
２  ケース
４ｄ  発音口
５  駆動側フレーム
６  振動側フレーム
１１  振動板
１１ｂ  自由側端部
１１ｃ  支点側端部
１２  可撓性シート
２０  磁界発生部
２１  上部ヨーク
２２  下部ヨーク
２３  側部ヨーク
２４  上部磁石
２５  下部磁石
２７  コイル
３１  支持部材
３２，１３２  アーマチュア
３２ａ  振動部
３２ｂ  基端部
３２ｃ  固定部
【図１】
2017115521.tif 000005
【図２】
2017115521.tif 000006
【図３】
2017115521.tif 000007
【図４】
2017115521.tif 000008
【図５】
2017115521.tif 000009
【図６】
2017115521.tif 000010
【図７】
2017115521.tif 000011
【図８】
2017115521.tif 000012
【図９】
2017115521.tif 000013
【図１０】
2017115521.tif 000014
【国際調査報告】
2017115521.tif 000015
2017115521.tif 000016
2017115521.tif 000017
2017115521.tif 000018